(57)【要約】      （修正有）【課題】  分解することで嵩張らず、組み立てが容易でなお且つ強靭な構造を保つことが出来る星型及び筒型など多種の形態に作り替えが出来る照明器具用カバーを提供する。【解決手段】  カバー１０は多面体１１の表面から角錐部１２を突出させた形態である。２つの型紙２０Ａと２０Ｂにおいてその突片部２２Ａと２２Ｂの斜辺２４、２５同士を結合することで、角錐部１２が構成されている。この結合時、スリット孔２８に結合片２９を差し込むことで結合するが、その結合をより強いものにするため、結合片の中にモドリ部３９を設け、結合片２９がスリット孔２８かも外れる時、モドリ部３９がスリット孔２８を構成する帯部２７に引っ掛かって外れ難くする構造が本発明の重要事項である。【選択図】図１
2006269395.tif 000002
【特許請求の範囲】
【請求項１】
複数の角錐部を１方向もしくは放射状に突出させた筒型もしくは星型などを成すカバー内に光源を収容したものであって、
前記カバーは、透光性を有する複数の型紙を結合する事により、前記角錐部を突出させた形態を作り、その組み合せで筒型もしくは星型など多種の形態に構成され、
前記型紙は、略三角形二つが、その底辺を共有して成した菱型から成り、
二つの略三角形部がその対応する斜辺同士を結合させることで前記角錐部が構成されていることを特徴とする照明器具。
【請求項２】
前記略三角形部の一方の斜辺にはスリット孔が形成されているとともに、前記略三角形部の他方の斜辺には前記スリット孔と対応する結合片が突出形成されており、前記スリット孔に前記結合片を差し込む事で前記斜辺同士が結合されるようになっているもので、
前記結合片の中に、結合片より小さな、結合片の形態とは逆方向に半円状切り込みが成され、前記結合片が前記スリット孔から抜け落ちる方向に力が動いた場合、前記半円状スリット孔によって形成された半円突起が前記スリット孔にぶつかりその抜け落ちる事を阻止する役目をもつことで、前記斜辺同士の結合を強める効果を持つ事を特色とする請求項１記載の照明器具。
【請求項３】
複数の角錐部を筒状もしくは放射状に突出させた筒型もしくば星型を成し、内部に光源を収容することで照明器具を構成するものであって、透光性を有する複数の型紙を組み合せることにより、筒型もしくは星型形状を形成するため前記角錐部を突出させた形態に構成され、
前記二つの型紙の略三角形部の対応する斜辺同士を結合させることで、前記角錐部が構成され、この角錐部が複数組合わさることで筒型及び星型の形態に構成されていることを特徴とする照明器具用カバー。
【請求項４】
前記三角形部の一方の斜辺にはスリット孔が形成されているとともに、前記三角形部の他方の斜辺には前記スリット孔と対応する結合片が突出形成されており、前記スリット孔に前記結合片を差し込む事で前記斜辺同士が結合されるようになっており、
前記結合片の中に、結合片より小さな、結合片の形態とは逆方向に半円状切り込みが成され、前記結合片が前記スリット孔から抜け落ちる方向に力が動いた場合、前記半円状切り込みによって形成された半円突起が前記スリット孔にぶつかりその抜け落ちる事を阻止する役目を持つことで、前記斜辺同士の結合を強める効果を持つ事を特色とする請求項３に記載の照明器具用カバー。
【発明の詳細な説明】
【技術分野】
【０００１】  本発明は、照明器具及び照明器具用カバーに関するものである、
【背景技術】
【０００２】  照明器具においては光源を覆うシェード、グローブなどのカバーのデザインが重要視される。天井から吊り下げて使用される照明機器としては、全体として球形を成すもの（例えば、特許文献１を参照）が知られているが、形状自体にデザイン上の特徴を持たせたものとしては、複数の角錐が２方向もしくは放射状に突出する筒型もしくは星型のカバーが考えられる。
【特許文献１】  特開２００２−２５３１９公報
【発明の開示】
【発明が解決しようとする課題】
【０００３】  星形などの複雑な形態のカバーの場合は、竹ヒゴに和紙を張り付けた螺旋状形態の提灯などとは異なり、畳むことが困難であるため、店頭での展示や倉庫などでの在庫保管に際して大きなスペースが必要となるだけでなく、持ち運びや運送などの際にもその大きさと形状のために不便を強いられるという問題がある。【０００４】  本発明は上記のように嵩張らない形態にすることが可能であると同時に、その分解・組立ての容易さを生かして多種の形態に組立て直しが可能である照明器具用カバーを提供することを目的とする。
【課題を解決するための手段】
【０００５】  上記の目的を達成するための手段として、請求項１の発明は、複数の角錐部を放射状に突出させた星型もしくは筒状を成すカバー内に光源を収容したものであって、
前記カバーは、透光性を有する複数の型紙を結合する事により、星型状もしくは筒状に前記角錐部を突出させた形態に構成され、前記型紙は、同じ形態、同じ大きさの略三角形二つがその底辺を線対称の位置で共有して成した菱型から成り、二つの前記型紙の略三角形部がその対応する斜辺同士を結合させることで前記角錐部が構成され、角錐部の組み合せにより多種の形態に組立て直しが出来るところに特徴を有する。【０００６】  請求項２の発明は、請求項１に記載のものにおいて、前記略三角形部の一方の斜辺にはスリット孔が形成されているとともに、前記略三角形部の他方の斜辺には前記スリット孔と対応する結合片が突出形成されており、前記スリット孔に前記結合片を差し込む事で前記斜辺同士が結合されるようになっているもので、前記結合片の中に、結合片より小さな、結合片の形態とは逆方向に半円状切り込みが形成され、前記結合片が前記スリット孔から抜け落ちる方向に力が動いた場合、前記半円状切り込みによって形成された半円突起が前記スリット孔にぶつかりその抜け落ちる事を阻止する役目をもつことで、前記斜辺同士の結合を強める効果を持っているところに特徴を有する。【０００７】  請求項３の発明は、複数の角錐部を放射状に突出させた星型を成し、内部に光源を収容することで照明器具を構成するものであって、透光性を有する複数の型紙を組み合せることにより、前記角錐部を突出させた略球形の形態もしくは複数の形態をつなぎ合せた形態、および略筒上の形態に構成され、前記二つの型紙の略三角形部の対応する斜辺同士を結合させることで、前記角錐部が構成され、この角錐部が複数組合わさることで前記多面体及び筒状形態が構成されているところに特徴を有する。【０００８】  請求項４の発明は、請求項３に記載のものにおいて、前記三角形部の一方の斜辺にはスリット孔が形成されているとともに、前記三角形部の他方の斜辺には前記スリット孔と対応する結合片が突出形成されており、前記スリット孔に前記結合片を差し込むことで前記斜辺同士が結合されるようになっており、
前記結合片の中に、結合片より小さな、結合片の形態とは逆方向に半円状切り込みが成され、前記結合片が前記スリット孔から抜け落ちる方向に力が動いた場合、前記半円状切り込みによって形成された半円突起が前記スリット孔にぶつかりその抜け落ちる事を阻止する役目をもつことで、前記斜辺同士の結合を強める効果を持つところに特色を有する。
【発明の効果】
【０００９】  〈請求項１及び請求項３の発明〉
星型のカバーは、複数枚の型紙を結合することによって構成されるようになっているので、結合前には複数枚の型紙を水平に重ねることで薄く嵩張らない状態にしておくことができる。従って、展示や保管のためのスペースが小さくて済み、持ち運びや運送にも便利である。【００１０】〈請求項２及び請求項４の発明〉
斜辺同士の結合は、スリット孔に結合片を差し込んで、結合と分解が容易に出来る構造だが、斜辺同士の結合で全体の結合としているため、結合がしっかりできることが重要であり、この結合に「モドリ効果」を加えることで結合のしっかりした形態を作った事が本発明の特徴とするところである。【００１１】その分解・組立ての容易さを生かして多種の形態に組立て直しが可能である照明器具用カバーを提供することを目的とする。
【発明を実施するための最良の形態】
【００１２】
【実施形態１】
【００１３】以下、本発明を具体化した実施形態を図１から図６を参照して説明する。
【００１４】  本実施形態の照明器具は、１２の正五角錐（以下、角錐部１２という）を放射状に突出させた星型（コンペイトウ状）をなすカバー１０の内部に、電球１９をソケット１８に取り付けた形態の光源１５を収容したものであって、天井などから吊り下げて使用できるようになっている。カバー１０は、形状及び大きさが同一である（一枚のみ切り込みの多いものがある）３０枚の型紙２０を組み合せることにより、略球形をなす正１２面体（以下、多面体１１という）の表面から角錐部１２を突出させた形態に構成されている。
【００１５】  型紙２０は、透光性を有する乳白色（即ち、半透明）の板状をなし、容易に破れたり折れ曲がったりしないような腰があり、なお且つ耐熱温度が比較的高い素材からなる。この型紙２０の材料としては、防炎紙・ワーロン紙（樹脂を重ねた和紙、又は樹脂でコーティングした和紙）、和紙を含有しない合成樹脂材などを用いることが出来る。
【００１６】  型紙２０は、図３に示すように、おおむね二等辺三角形をなす２つの突片部２２（その２つを２２ａ１と２２ａ２とする）からなる菱型の平行四辺形を成している。２つの突辺部２２ａ１と２２ａ２の直線状の底辺は共有されており、突片部２２ａ１と２２ａ２のそれぞれの２つの直線状の斜辺２４，２５は互いに同じ長さとなっている。
【００１７】  各突片部２２の２つの斜辺２４，２５のうち、斜辺２４に沿って細長く延びる帯部２７が突片部２２に対して面一状に形成されている。この帯部２７と突片部２２との境界線（斜辺２４）には４つのスリット孔２８が形成されている。このスリット孔２８は、斜辺２４の長さ方向に沿って長く延びるとともに型紙２０を表裏貫通する形態であって、斜辺２４の長さ方向に一定のピッチで直列に並ぶように配置されている。スリット孔２８の配置位置は、斜辺２４の中心点で斜辺２４に直角の線を描いた場合、左右に線対称になるよう配置されている。
【００１８】  型紙２１は型紙２０に電球の取り付け枠３０とその切り込み３２、取り付け穴３１の切り込み３３を加えたものである。使用前はその両方ともその切り込みに各々数ヶ所の接続のための０．５ｍｍ以下の未切断箇所を持ち、使用時に指で容易に押し破れるものになっている。
【００１９】  一方、各突片部２２の２つの斜辺２４，２５のうちスリット孔２８の形成されている側とは反対側の斜辺２５には４つの結合片２９が形成されている。この結合片２９は、真円の一部を櫛型（弓形）に切欠した形を成し、その弦に相当する直線部を斜辺２５に合致させるとともに突片部２２に対して面一状に連なるように突出している。この４つの結合片２９は、斜辺２５の長さ方向においてスリット孔２８と同一ピッチを空けて配置されている。スリット孔２８の長さ８ｍｍに対して、結合片２９の最大外径は９ｍｍと僅かに大きくなっており、スリット孔２８に結合片２９を指し込む際、僅かに抵抗があるが、差し込まれた後は、細くなったスリット孔２８に納まることで安定し、逆に結合片２９がスリット孔２８から外れにくくさせている。
【００２０】  結合部には、前記００２１とは別に、この星型照明カバーの組立て後の形態の安定用として、「釣針のモドリ」効果のため、結合片の中に直径４ｍｍの半円の小さな切り込み３４（以下モドリ部という）があり、この小さな半円のモドリ部３４は、結合前に中（下）側に折り曲げることで、スリット孔２８にはそのまま入っても、出る場合は帯部２７にモドリ部３９が引っ掛かり、結合片２９がスリット孔２８から外れるのを防ぐ役目を担っている。
【００２１】  次に本実施形態の照明器具の組立て手順について説明する。
【００２２】  本照明器具カバーは、星型照明器具カバーの中心より放射状に突出した角錐部を複数の型紙２０の結合によって作り、それら角錐部をつなげて略球状の星型照明器具カバー１０全体を完成させるものである。次からその詳細を正１２面体のそれぞれの面を底面に持つ１２の角錐からなる星型１２面体の照明器具カバーに例をとって、その組立て手順を詳細に説明する。ここで使用する型紙は３０牧である。
【００２３】  まず、型紙２０（以下、第１型紙２２ａという）に対し、別の型紙２０（以下、第２型紙２２ｂという）を結合する。結合前の作業として型紙の全ての帯部２７及び結合片２９を一方向に折り曲げておく。また、結合片２９の中に切り込まれているモドリ部３４を、帯部２７及び結合片２９と同じ方向に折り曲げておく。
【００２４】  次に図  のように型紙２２ａと２２ｂを近づけ、その相対するスリット孔２８に結合片２９を差し込む。この時何らかの抵抗に合うが、そのまま強く差し込んで入れる。これを４ヶ所のスリット孔２８と結合片２９において行い、型紙２２ａと型紙２２ｂを結合させる。
【００２５】  ００２５の型紙２２ａと型紙２２ｂの結合と同様に型紙２２ｂと型紙２２ｃ、型紙２２ｃと型紙２２ｄ、型紙２２ｄと型紙２２ｅを結合し、最後に型紙２２ｅと型紙２２ａを結合することで、ここに角錐部１２Ａができる。
【００２６】  角錐部１２を構成している５つの突片部をそれぞれ２２ａ１、２２ｂ１、２２ｃ１、２２ｄ１、２２ｅ１とするとその周りに各型紙のもう一方の突片部２２ａ２、２２ｂ２、２２ｃ２、２２ｄ２、２２ｅ２が取り巻いている。そこで次にその５つの突片部２２の中から任意の突片部を選ぶ。その任意の突片部を２２ａ２とすると、その突片部２２ａ２に対して前記の５つの型紙２０以外の新しい型紙２０ｆを用意し、２２ａ２と２２ｆ１を前と同様に結合する。そしてこの結合と同様に２２ｆ１と２２ｇ１、２２ｇ１と２２ｈ１、２２ｈ１と２２ｉ１そして２２ｉ１と２２ａ２を結合して２番目の角錐部１２Ｂを作る。
【００２７】  同様に２２ｂ２、２２ｃ２、２２ｄ２、２２ｅ２に対しても残りの型紙を結合して４つの角錐部を作っていき、残り６つの角錐部を作って合計１２の角錐部で略球状の星型照明器具カバー１０の形態を完成する。１２の角錐部の各型紙の構成ナンバーは以下の通りである。
▲１▼２２ａ１、２２ｂ１、２２ｃ１、２２ｄ１、２２ｅ１
▲２▼２２２、２２ｆ１、２２ｇ１、２２ｈ１、２２ｉ１
▲３▼２２ｂ２、２２ｉ２、２２ｊ１、２２ｋ１、２２ｌ１、
▲４▼２２ｃ２、２２ｌ２、２２ｍ１、２２ｎ１、２２ｏ１
▲５▼２２ｄ２、２２ｏ２、２２ｐ１、２２ｑ１、２２ｒ１
▲６▼２２ｅ２、２２ｒ２、２２ｓ１、２２ｔ１、２２ｕ１
▲７▼２２ｇ２、２２ｔ２、２２ｕ１、２２ｖ１、２２ｗ１
▲８▼２２ｊ２、２２ｈ２、２２ｗ２、２２ｘ１、２２ｙ１
▲９▼２２ｋ２、２２ｙ２、２２ｚ１、２２Ａ１、２２ｍ２
▲１０▼２２ｎ２、２２Ａ２、２２Ｂ１、２２Ｃ１、２２Ｐ２
▲１１▼２２ｑ２、２２Ｃ２、２３Ｄ１、２２ｕ２、２２ｓ２
▲１２▼２２ｖ２、２３Ｄ２、２２Ｂ２、２２ｚ２、２２ｘ２
【００２８】    以上の結合が全て終る前に、最後に型紙２３を結合するが、この型紙には光源１５を取り付ける。光源１５はコンセント差し込みプラグ１６と電源コード１７、ソケット１８と電球１９とからなる。型紙２３のうち突片部２３Ｄ１は型紙２０の二つの突片部２１、２２と同様の形態だが、突片部２３Ｄ２は電球１９の口金部分１９Ａが挿入される切り込み穴３１が用意されている。また、この穴の周りには電球１９が照明器具カバー１０の中心部に位置付けられるように、電球支持枠３０の切り込み３２がある。まず、電球支持枠３０の切り込み３２を指で内側（帯部２７及び結合片２９の折り曲げ方向）に強く押して突き破り、型紙２３に対し直角ほどに支持枠３０を折り曲げて、その中心にある電球差し込み穴３１の切込み３３に型紙２３の内（下）側から電球１９の口金１９Ａを強く押し当て、付き破り、穴を空けてこれに挿入し、電球差し込み穴３１から上に突出した口金１９Ａにソケット１８を当て、電球１９をソケット１８にネジ入れる。  その結果型紙２３の電球支持枠３０に電球１９とソケット１８が上下から押し挟んで固定される。
【００２９】  型紙２３に電球１９とソケット１８が固定されたので、この型紙２３をこれまで組み立てて来た照明器具カバー１０の残された部分に電球１９を中側にして結合する。この時ソケット１８から出ている電線コード１７は、突片部２３Ｄ２の構成する角錐部１２の頂点から外部に出る形態になる。
【００３０】  本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することが出来る。
【００３１】  （１）上記実施形態では、光源を内部の中心に位置する様に収容したが、本発明では、複数の角錐部内に光源を散在する形で収容してもよい。
【００３２】  （２）上記実施形態では、照明器具が天井吊り下げ式のものである場合について説明した。本発明は、机上や床上に載置するタイプや壁に固定するタイプの照明器具にも適用できる。
【００３３】  （３）上記実施形態では、型紙を半透明状の乳白色のものとしたが、本発明によれば、型紙を透明のものとしても良く、又、半透明であって乳白色以外の色の型紙を用いてもよい。
【００３４】  （４）上記実施形態では、略三角形の突片部の斜辺を直線としたが、本発明によれば、略三角形の突片部の斜辺を、内側に湾曲した曲線、外側に湾曲した曲線、これらの曲線と直線とを連続させた線としてもよい。
【００３５】  （５）上記実施形態においては、光源を２０Ｗ以下の蛍光灯又はＬＥＤとしているが、白熱電球の場合は、発熱量が大きいため、ソケットのみへの装着が推薦され、電球が型紙本体に接触しない方法がとられる。
【００３６】  （６）上記実施形態では、突片部の斜辺同士を接着剤などで結合してもよいが、その場合は分解して小さく収容することをあらかじめ予定しないことを確認の上、組立て作業を行うこととしている。
【００３７】  （７）上記実施形態では、全ての型紙を乳白色（同一色）としたが、本発明によれば、色彩が異なる複数種類の型紙又は透光率が異なる複数種類の型紙を組み合せてカバーを構成してもよい。
【００３８】  （８）上記実施形態では、全ての型紙の外形が同形、同サイズとしたが、略三角形２つからなる菱型の本型紙において、結合する斜辺同士が同サイズならば、略三角形２つの共有する底辺（菱型内の１本の対角線）が異なっていても、その異なった型紙同士を結合しても一つの照明器具カバーを構成されるものとしている。
【図面の簡単な説明】
【００３９】
【図１】結合による角錐部の組立て説明図
【図２】２枚の型紙の結合を説明する図
【図３】型紙２０の図面
【図４】型紙２１の図面
【図５】正１２面体から５角錐が１２個放射状に突出した図
【図６】型紙への光源の取り付け説明図
【図７】筒状形態の照明器具カバー説明図
【符号の説明】
【００４０】１０・・・照明器具カバー
１２・・・角錐部
１５・・・光源
１６・・・プラグ
１７・・・電線コード
１８・・・ソケット
１９・・・電球
１９Ａ・・・電球の口金
２０・・・型紙
２２ａ・・・第１型紙
２２ａ１・・・第１型紙の左突片部
２２ａ２・・・第１型紙の右突片部
２２ｂ１・・・第２型紙の左突片部
２２ｂ２・・・第２型紙の右突片部
（以下突片部の記号説明は省略）
２３Ｄ・・・最終型紙
２３Ｄ１・・・最終型紙の左突片部
２３Ｄ２・・・最終型紙の右突片部
２４・・・スリット孔を含む斜辺
２５・・・結合片を擁する斜辺
２７・・・帯部
２８・・・スリット孔
２９・・・結合片
３０・・・電球支持枠
３１・・・電球差し込み穴
３２・・・支持枠の切り込み
３３・・・差し込み穴の切り込み
３４・・・モドリ部
【図１】
2006269395.tif 000003
【図２】
2006269395.tif 000004
【図３】
2006269395.tif 000005
【図４】
2006269395.tif 000006
【図５】
2006269395.tif 000007
【図６】
2006269395.tif 000008
【図７】
2006269395.tif 000009